(57)【要約】【課題】空気清浄機能をオールシーズン利用できるとともに、加湿量を増大して冬季の乾燥シーズンにおいて大容量の加湿機能を有効に発揮することのできる加湿機能付空気清浄機を提供することを目的とする。【解決手段】本体１の上部側に、吸気口２側に対応して空気清浄部３の設けられる送風装置４と、本体１の下部側に、送風装置４の吐出口５側に対応して設けられる加湿ユニット６とを備え、加湿ユニット６に送風装置４の全風量を供給する構成とすることにより、空気清浄機能をオールシーズン利用できるとともに、大容量の加湿機能を有効に発揮することができる加湿機能付空気清浄機を得られる。【選択図】図１
2008025898.tif 000002
【特許請求の範囲】
【請求項１】
本体の上部側に、吸気口側に対応して空気清浄部の設けられる送風装置と、前記本体の下部側に、前記送風装置の吐出口側に対応して設けられる加湿ユニットとを備え、前記加湿ユニットに前記送風装置の全風量を供給する構成とした加湿機能付空気清浄機。
【請求項２】
加湿ユニットを、円周方向に回転する円筒形の加湿フィルターと、この加湿フィルターを回転可能に支持するトレイと、前記加湿フィルターの一部が浸水する水槽部と、この水槽部に給水する給水タンクとを備え、前記加湿フィルターの通風方向は、一方の外表面から内部に侵入し、他方の外表面へと排出する方向とした請求項１記載の加湿機能付空気清浄機。
【請求項３】
加湿フィルターの回転方向を、送風装置からの風向が前記加湿フィルター内で方向変更する方向と同一方向とした請求項２記載の加湿機能付空気清浄機。
【請求項４】
送風装置の吐出部の直下に加湿フィルターを備え、前記送風装置の吐出部と加湿フィルター間に空間部を形成した請求項２記載の加湿機能付空気清浄機。
【請求項５】
加湿フィルターの通風の入口側と出口側を区切るための案内リブを、前記加湿フィルターの表面まで近接して突出し、前記案内リブの突出方向を前記加湿フィルターの回転中心の方向とした請求項２記載の加湿機能付空気清浄機。
【請求項６】
送風装置の吐出側に加熱手段を設け、前記加熱手段を加湿フィルターの上部位置で、輻射可能に配置した請求項２記載の加湿機能付空気清浄機。
【請求項７】
加湿フィルターの中心へ垂下する方向に、送風装置の送風方向と、加熱手段の輻射方向とを一致させた請求項２記載の加湿機能付空気清浄機。
【請求項８】
加湿手段と加湿フィルターの間に設けた空間部を包囲する側面に、熱反射手段を設けた請求項６または７記載の加湿機能付空気清浄機。
【請求項９】
空気清浄運転と加湿運転の切換スイッチを設け、前記切換スイッチで空気清浄運転を選択した場合は、加湿フィルターの回転を停止する構成とした請求項２記載の加湿機能付空気清浄機。
【請求項１０】
水槽部に一定水位で給水する給水タンクを設け、前記給水タンクの給水弁を開閉する開閉手段を給水部に設け、切換スイッチで空気清浄運転を選択した場合には、前記開閉手段は、前記給水弁を閉鎖する構成とした請求項９記載の加湿機能付空気清浄機。
【請求項１１】
水槽部および給水部の底部に連通して設けた給水溝を設け、前記水槽部および給水部の貯水を排出した状態で、空気清浄運転を行うことにより、前記給水溝に通風して前記水槽部および給水部を乾燥可能とした請求項９記載の加湿機能付空気清浄機。
【発明の詳細な説明】
【技術分野】
【０００１】
本発明は、空気を浄化しながら加湿することのできる加湿機能付空気清浄機に関する。
【背景技術】
【０００２】
従来、この種の加湿機能付空気清浄機の一例として、上流側に空気清浄部を設け、下流側に加湿部を設けた加湿機能付空気清浄機が知られている（例えば、特許文献１参照）。
【０００３】
以下、その加湿機能付空気清浄機について図９〜図１１を参照しながら説明する。
【０００４】
図に示すように、吸気口１０１と排気口１０２を設けた本体ケース１０３内の空気流路１０４にフィルター１０５と、フィルター１０５の下流側に配置される送風手段１０６と、本体ケース１０３の下方に配置され、フィルター１０５により浄化された空気流路１０４の空気の一部が選択的に取り込まれる加湿流路１０７と、加湿流路１０７に配置された加湿手段１０８と、加湿された空気を外部に吹出す吹出口１０９を設け、送風手段１０６のケーシング１１０の一部は案内板１１１により形成され、案内板１１１はリンク１１２を介して閉鎖する位置または開放する位置との間を移動し、加湿流路１０７を開閉するように構成されている。
【特許文献１】特開２００５−６１６５５号公報（［００２２］〜［００２４］、図１〜図３）
【発明の開示】
【発明が解決しようとする課題】
【０００５】
このような従来の加湿機能付空気清浄機では、ケーシング１１０の一部を開放して形成された加湿流路１０７に加湿手段１０８が配置されているので、空気清浄部のフィルター１０５に圧損負荷のかかる送風手段１０６のケーシング１１０の一部により加湿流路１０７が設けられることなり、所定の送風量が得られないため加湿量が少ないという課題があり、加湿量を増大することが要求されている。
【０００６】
本発明は、このような従来の課題を解決するものであり、空気清浄機能をオールシーズン利用できるとともに、加湿量を増大して冬季の乾燥シーズンにおいて大容量の加湿機能を有効に発揮することのできる加湿機能付空気清浄機を提供することを目的としている。
【課題を解決するための手段】
【０００７】
本発明の加湿機能付空気清浄機は上記目的を達成するために、本体の上部側に、吸気側に、吸気側に対応して空気清浄部の設けられる送風装置と、前記本体の下流側に、前記送風装置の吐出側に対応して設けられる加湿ユニットとを備え、前記加湿ユニットに前記送風装置の全風量を供給する構成としたものである。
【０００８】
この手段により、空気清浄機能をオールシーズン利用できるとともに、冬季の乾燥シーズンにおいて大容量の加湿機能を有効に使用することができる加湿機能付空気清浄機が得られる。
【０００９】
また、他の手段は、加湿ユニットを、円周方向に回転する円筒形の加湿フィルターと、この加湿フィルターを回転可能に支持するトレイと、前記加湿フィルターの一部が浸水する水槽部と、この水槽部に給水する給水タンクとを備え、前記加湿フィルターの通風方向は、一方の外表面から内部に浸入し、他方の外表面へと排出する方向としたものである。
【００１０】
この手段により、回転して含水する円筒形の加湿フィルターを気流が貫通するときに、フィルター面を２回通過することになり多量に加湿できるとともに、空気清浄ユニットで除去が困難なアンモニアなどの水溶性の化学成分を効率よく除去して、空気清浄機能を補完することができる加湿機能付空気清浄機が得られる。
【００１１】
また、他の手段は、加湿フィルターの回転方向を、送風装置からの風向が加湿フィルター内で方向変更する方向と同一方向としたものである。
【００１２】
この手段により、送風装置に大きな負荷をかけることなく、空気清浄機能を損なわずに加湿機能を充分に発揮させることのできる加湿機能付空気清浄機が得られる。
【００１３】
また、他の手段は、送風装置の吐出部の直下に加湿フィルターを備え、前記送風装置の吐出部と加湿フィルター間に空間部を形成したものである。
【００１４】
この手段により、省スペース化を実現するとともに、チャンバー機能をもたせて送風量を安定することができる加湿機能付空気清浄機が得られる。
【００１５】
また、他の手段は、加湿フィルターの通風の入口側と出口側を区切るための案内リブを、前記加湿フィルターの表面にまで近接して突出し、前記案内リブの突出方向を前記加湿フィルターの回転中心の方向としたものである。
【００１６】
この手段により、案内リブ付近では、加湿フィルターに流入する気流の方向と、加湿フィルターを通過した気流の風向を、案内リブに沿って加湿フィルターに略直行する方向へ案内することができる加湿機能付空気清浄機が得られる。
【００１７】
また、他の手段は、送風装置の吐出側に加熱手段を設け、前記加熱手段を加湿フィルターの上部位置で、輻射可能に配置したものである。
【００１８】
この手段により、加湿フィルターへの輻射加熱により加湿量を増大するとともに、加湿量を安定化することができる加湿機能付空気清浄機が得られる。
【００１９】
また、他の手段は、加湿フィルターの中心に垂下する方向に、送風装置の送風方向と、加熱手段の輻射方向とを一致させたものである。
【００２０】
この手段により、送風と輻射の相乗効果により加湿効率を高めることができる加湿機能付空気清浄機が得られる。
【００２１】
また、他の手段は、加熱手段と加湿フィルターの間に設けた空間部を包囲する側面に熱反射手段を設けたものである。
【００２２】
この手段により、加湿フィルターをさらに加熱して加湿効率を高めることができる加湿機能付空気清浄機が得られる。
【００２３】
また、他の手段は、空気清浄運転と加湿運転の切換スイッチを設け、前記切換スイッチで空気清浄運転を選択した場合は、加湿フィルターの回転を停止する構成としたものである。
【００２４】
この手段により、空気清浄運転を選択したときは、送風量を増やした空気清浄運転を行うことができる加湿機能付空気清浄機が得られる。
【００２５】
また、他の手段は、水槽部に一定水位で給水する給水タンクを設け、前記給水タンクの給水弁を開閉する開閉手段を給水部に形成し、切換スイッチで空気清浄運転を選択した場合には、前記開閉手段は、前記給水弁を閉鎖する構成としたものである。
【００２６】
この手段により、空気清浄運転のときは、給水弁を閉鎖して加湿機能を発揮できないようにすることができる加湿機能付空気清浄機が得られる。
【００２７】
また、他の手段は、水槽部および給水部の底部に連通して設けた給水溝を設け、前記水槽部および給水部の貯水を排出した状態で、空気清浄運転を行うことにより、前記給水溝に通風して前記水槽部および給水部を乾燥可能としたものである。
【００２８】
この手段により、水槽部および給水部を乾燥させ、ぬめりや異臭の発生を防止することができるという効果のある加湿機能付空気清浄機を提供できる。
【発明の効果】
【００２９】
本発明によれば、空気清浄機能をオールシーズン利用できるとともに冬季の乾燥シーズンにおいて大容量の加湿機能を有効に使用することができるという効果のある加湿機能付空気清浄機を提供できる。
【００３０】
また、円筒形状の加湿フィルターで多量に加湿できるとともに、空気清浄ユニットでも除去が困難なアンモニアなどの水溶性の化学成分を効果的に吸収して、空気清浄機能を補助することができるという効果のある加湿機能付空気清浄機を提供できる。
【００３１】
また、送風装置に大きな負荷をかけることなく、空気清浄機能を損なわずに加湿機能を充分に発揮させることができるという効果のある加湿機能付空気清浄機を提供できる。
【００３２】
また、省スペース化を実現するとともに、チャンバー機能をもたせて送風量を安定することができるという効果のある加湿機能付空気清浄機を提供できる。
【００３３】
また、案内リブ付近では、加湿フィルターに流入する気流の方向と、加湿フィルターを通過した気流の風向を、案内リブに沿って加湿フィルターに略直行する方向へ案内して、整流効果を高める加湿機能付空気清浄機を提供できる。
【００３４】
また、輻射熱を有効に利用して、加湿量を増やし安定化することができるという効果のある加湿機能付空気清浄機を提供できる。
【００３５】
また、気流と輻射熱の相乗効果により加湿効率を高めることができるという効果のある加湿機能付空気清浄機を提供できる。
【００３６】
また、熱反射手段により加湿フィルターの加熱量を増やして、加湿効率を高めることができるという効果のある加湿機能付空気清浄機を提供できる。
【００３７】
また、送風量を増やした空気清浄運転を行うことができるという効果のある加湿機能付空気清浄機を提供できる。
【００３８】
また、空気清浄運転時には加湿機能を発揮できないようにすることができるという効果のある加湿機能付空気清浄機を提供できる。
【００３９】
また、水槽部および給水部を乾燥させ、ぬめりや異臭の発生を防止することができるという効果のある加湿機能付空気清浄機を提供できる。
【発明を実施するための最良の形態】
【００４０】
本発明の請求項１記載の発明は、本体の上部側に、吸気口側に対応して空気清浄部の設けられる送風装置と、前記本体の下部側に、前記送風装置の吐出口側に対応して設けられる加湿ユニットとを備え、前記加湿ユニットに前記送風装置の全風量を供給する構成としたものであり、空気清浄部を送風装置の吸気口側に設けて空気清浄機能をオールシーズン利用できるとともに、加湿ユニットを送風装置の吐出口側に配して、全風量を加湿ユニットに供給することで、加湿量を増大することができ、冬季の乾燥シーズンにおいて大容量の加湿機能を有効に使用することができるという作用を有する。
【００４１】
また、請求項２記載の発明は、加湿ユニットを、円周方向に回転する円筒形の加湿フィルターと、この加湿フィルターを回転可能に支持するトレイと、前記加湿フィルターの一部が浸水する水槽部と、この水槽部に給水する給水タンクとを備え、前記加湿フィルターの通風方向は一方の外表面から内部に侵入し、他方の外表面へと排出する方向としたものであり、回転する円筒形の加湿フィルターは、毛細管現象を利用した固定式の加湿フィルターの表面に生成された水の膜により、空気清浄ユニットでも除去が困難なアンモニアなどの水溶性の化学成分を効果的に吸収して、空気清浄機能（脱臭機能）を補助することができるという作用を有する。
【００４２】
また、請求項３記載の発明は、加湿フィルターの回転方向を、送風装置からの風向が前記加湿フィルター内で方向変更する方向と同一方向としたものであり、回転する加湿フィルターの水付着量が少ない表面側、すなわち水槽部を通過して回転の後半側の表面を送風入口とするとともに、水の付着量の大きい表面側、すなわち水槽部を通過して回転の前半側の表面を出口側にすることにより、送風装置の空気抵抗を相対的に小さくすることができる。
【００４３】
なお、本実施の形態では、加湿フィルターの入口側の表面積も大きくしているので、加湿フィルターの入口の圧損が小さくなる。このように加湿フィルターの入口表面の圧力損失が小さいことで、気流が浸入しやすくなり、送風装置に大きな負荷をかけることなく、空気清浄機能を損なわずに加湿機能も充分に発揮できるという有利な構成とすることができるという作用を有する。
【００４４】
また、請求項４記載の発明は、送風装置の吐出部の直下に加湿フィルターを備え、前記送風装置の吐出部と加湿フィルター間に空間部を形成したものであり、加湿フィルターを送風装置の直下に備えることで本体の奥行き寸法を縮小して設置面積を減らし、省スペース化を実現するとともに、チャンバー機能をもたせて送風量を安定することができるという作用を有する。
【００４５】
また、請求項５記載の発明は、加湿フィルターの通風の入口側と出口側を区切るための案内リブを、前記加湿フィルターの表面まで近接して突出し、前記案内リブの突出方向を前記加湿フィルターの回転中心の方向としたものであり、案内リブの近傍では、入口側からは加湿フィルターの中心方向へ加湿フィルター面に略直交して吐出風を導入し、吐出側では加湿フィルターを通過した風向を、案内リブに沿って加湿フィルターの中心から遠ざかる方向へ導出することができるという作用を有する。
【００４６】
また、請求項６記載の発明は、送風装置の吐出側に加熱手段を設け、前記加熱手段を加湿フィルターの上部位置で輻射可能に配置したものであり、加熱手段であるヒーターを加湿フィルターに面した上部の位置に設けることで、ヒーターの輻射熱を効果的に加湿フィルターに当てることができるとともに、回転中の加湿フィルターの保水量が安定する最上部で温風を供給して、加湿量を増大するとともに安定化することができるという作用を有する。
【００４７】
また、請求項７記載の発明は、加湿フィルターの中心へ垂下する方向に、送風装置の送風方向と加熱手段の輻射方向とを一致させたものであり、加湿フィルターへの送風方向と輻射方向とを、加湿フィルター中心の垂下方向に合せることで、加湿フィルターへ上面から集中的に通風と加熱ができ、この相乗効果により加湿効率を高めることができるという作用を有する。
【００４８】
また、請求項８記載の発明は、加熱手段と加湿フィルターの間に設けた空間部を包囲する側面に熱反射手段の輻射方向とを一致させたものであり、加熱手段から放出される輻射熱を、空間部を包囲する側面に設けた熱反射用塗料または反射テープなどの熱反射手段により反射することで、加湿フィルターをさらに加熱して加湿効率を高めることができるという作用を有する。
【００４９】
また、請求項９記載の発明は、空気清浄運転と加湿運転の切換スイッチを設け、前記切換スイッチで空気清浄運転を選択した場合は、加湿フィルターの回転軸を停止する構成としたものであり、空気清浄運転時には加湿フィルターの回転を停止させるだけで、加湿能力を低減して運転することができる。すなわち、加湿フィルターは毛細管による給水機能が少なく、かつ通気性のよい立体構造を備えた高分子素材で構成されている。したがって回転を停止した加湿フィルターは通風により短時間で乾燥されて水分の付着しない乾燥領域が形成され、この乾燥領域は通気抵抗が少なくなるので、送風量を増やした空気清浄運転を行うことができるという作用を有する。
【００５０】
また、請求項１０記載の発明は、水槽部に一定水位で給水する給水タンクを設け、前記給水タンクの給水弁を開閉する開閉手段を給水部に設け、切換スイッチで空気清浄運転を選択した場合には、前記開閉手段は前記給水弁を閉鎖する構成としたものであり、空気清浄運転時には開閉手段が給水タンクの給水弁を閉じるので、給水タンク内の水は、水槽部には供給されなくなり、停止した加湿フィルターへの通風と給水タンクからの給水停止により加湿機能を発揮できない様にすることができるという作用を有する。
【００５１】
また、請求項１１記載の発明は、水槽部および給水部の底部に連通して設けた給水溝を設け、前記水槽部および給水部の貯水を排出した状態で、空気清浄運転を行うことにより、前記給水溝に通風して前記水槽部および給水部を乾燥可能としたものであり、加湿機能を使わない夏場においては、給水タンクとトレイの水をすべて抜き、空気清浄運転をさせることで、給水溝を介して底面全体に風が通るため、水槽部および給水部を乾燥させ、ぬめりや異臭の発生を防止することができるという作用を有する。
【００５２】
以下、本発明の実施の形態について図面を参照しながら説明する。
【００５３】
（実施の形態１）
図１〜図３に示すように、本体１の上部側の吸気口２側に対応して空気清浄部３の設けられる送風装置４と、本体１の下部側に送風装置４の吐出口５側に対応して加湿ユニット６とを備え、加湿ユニット６は円周方向に回転する円筒形で通気性のよい立体構造を備えた高分子素材で形成された加湿フィルター７と、加湿フィルター７を回転可能に支持するトレイ８と、加湿フィルター７の一部が浸水する水槽部９と、水槽部９に給水する給水タンク１０からなり、加湿ユニット６に送風装置４の全風量を供給するように形成し、加湿フィルター７の通風方向は一方の外表面１１から内部に侵入し、他方の外表面１２へと排出する方向とする。
【００５４】
また、加湿フィルターの回転方向１３を、送風装置４からの風向が加湿フィルター７内で方向変更する方向と同一方向とし、送風装置４の吐出部１４の直下に加湿フィルター７と備え、送風装置４の吐出部１４と加湿フィルター７間に空間部１５を形成し、加湿フィルター７の通風の入口側１６と通風の出口側１７を区切るための案内リブ１８を、加湿フィルター７の表面に最も近接する位置まで突出し、案内リブ１８の突出方向を加湿フィルター７の回転中心１９の方向とする。
【００５５】
また、送風装置４の吐出部１４側にヒーターよりなる加熱手段２０を設け、加熱手段２０を加湿フィルター７の上部で直面するとともに輻射可能な位置に配置し、加熱手段２０と加湿フィルター７の間に設けた空間部１５を包囲する側面に熱反射塗料または反射テープなどの熱反射手段２１を設ける。
【００５６】
また、空気清浄運転と加湿運転の切換スイッチ２２を設け、切換スイッチ２２で空気清浄運転を選択した場合は、加湿フィルター７の回転を停止するように構成する。
【００５７】
そして、給水タンク１０より水槽部９に給水したのち、空気清浄機を運転すると、送風装置４および加湿フィルター７が駆動し、送風装置４により吸気口２より汚染されている室内の空気が吸気され、空気清浄部３により汚染空気が清浄化され、清浄空気が加湿フィルター７に供給され、加湿フィルター７の一方の外表面１１から加湿フィルター７内に送られた空気は加湿フィルターの回転方向１３と同一の他方の外表面１２より加湿フィルター７に含まれた水分が加湿空気として吐出され、浄化空気とともに加湿空気が吐出口５より吐出され、空気の清浄と加湿が行われることとなる。
【００５８】
上記構成において、本体１の上部側に吸気口２側に対応して空気清浄部３の設けられる送風装置４と、本体１の下部側に送風装置４の吐出口５側に対応して設けられる加湿ユニット６とを備え、加湿ユニット６に送風装置４の全風量を供給する構成としたので、空気清浄部３を送風装置４の吸気口２側に設けて空気清浄機能をオールシーズン利用できるとともに、加湿ユニット６を送風装置４の吐出口５側に配して全風量を加湿ユニット６に供給することで、加湿量を増大することができ、冬季の乾燥シーズンにおいて大容量の加湿機能を有効に使用することができることとなる。
【００５９】
また、加湿ユニット６を、円周方向に回転する円筒形の加湿フィルター７と、この加湿フィルター７を回転可能に支持するトレイ８と、加湿フィルター７の一部が浸水する水槽部９と、この水槽部９に給水する給水タンク１０とを備え、加湿フィルター７の通風方向は一方の外表面１１から内部に侵入し、他方の外表面１２へと排出する方向としたので、回転する円筒形の加湿フィルター７は、毛細管現象を利用した固定式の加湿フィルターに比べて加湿能力が大きく、加湿量も安定する。さらに加湿フィルター７の表面に生成された水の膜により、空気清浄ユニットでも除去が困難なアンモニアなどの水溶性の化学成分を効果的に吸収して空気清浄機能（脱臭機能）を補助することができることとなる。
【００６０】
また、加湿フィルターの回転方向１３を、送風装置４からの風向が加湿フィルター７内で方向変更する方向と同一方向としたので、回転する加湿フィルター７の水付着量が少ない表面側、すなわち、水槽部９を通過して回転の後半側の表面を送風入口とするとともに、水の付着量の大きい表面側、すなわち、水槽部９を通過して回転の前半側の表面を出口側にすることにより送風装置４の空気抵抗を相対的に小さくすることができる。
【００６１】
なお、実施の形態では、加湿フィルター７の入口側の表面積も大きくしているので、加湿フィルター７の入口の圧損が小さくなる。このように加湿フィルター７の入口表面の圧損が小さいことで気流が浸入しやすく通風の乱れも少なくなり、送風装置４に大きな負荷をかけることなく、空気清浄機能を損なわずに加湿機能も充分に発揮させることとなる。
【００６２】
また、送風装置４の吐出部１４の直下に加湿フィルター７を備え、送風装置４の吐出部１４と加湿フィルター７間に空間部１５を形成したので、加湿フィルター７を送風装置４の直下に備えることで、本体１の奥行き寸法を縮小して設置面積を減らし、省スペース化を実現するとともに、チャンバー機能をもたせて送風量を安定することができることとなる。
【００６３】
また、加湿フィルター７の通風の入口側１６と通風の出口側１７を区切るための案内リブ１８を、加湿フィルター７の表面に突出して近接して設け、案内リブ１８の突出方向を加湿フィルター７の回転中心１９の方向としたので、案内リブ１８の近傍では、通風の入口側１６からは加湿フィルター７の中心方向へ加湿フィルター７の面に略直交して吐出風を導入し、吐出側では加湿フィルター７を通過した風向を、案内リブ１８に沿って加湿フィルター７の中心から遠ざかる方向へ導出するという整流効果を発揮することができる。
【００６４】
また、送風装置４の吐出側にヒーターからなる加熱手段２０を設け、加熱手段２０を加湿フィルター７の上部位置で輻射可能に配置することにより、加熱手段２０であるヒーターの輻射熱を効果的に加湿フィルター７に照射することができるとともに、回転中の加湿フィルター７の保水が維持されやすい最上部で温風を供給することができ、加湿量を増大して安定化することができることとなる。
【００６５】
また、加湿フィルター７の中心へ垂下する方向に、送風装置４の送風方向と加熱手段２０の輻射方向とを一致させたので、加湿フィルター７への送風方向と輻射方向とを、加湿フィルター７中心の垂下方向に合せることで、加湿フィルター７へ上面から集中的に通風と加熱ができ相乗効果により加湿効率を高めることができることとなる。
【００６６】
また、加熱手段２０と加湿フィルター７の間に設けた空間部１５を包囲する側面に熱反射手段２１を設けることにより、加熱手段２０から放出される輻射熱を、空間部１５を包囲する側面に設けた熱反射用塗料または反射テープなどの熱反射手段２１により反射することで、加湿フィルター７をさらに加熱して加湿効率を高めることができることとなる。
【００６７】
また、空気清浄運転と加湿運転の切換スイッチ２２を設け、切換スイッチ２２で空気清浄運転を選択した場合は、加湿フィルター７の回転を停止する構成としたので、空気清浄運転時には、加湿フィルター７の回転を停止させるだけで、加湿能力を低減して運転することができる。すなわち、加湿フィルター７は毛細管による給水機能が少なく、かつ通気性のよい立体構造を備えた高分子素材で構成されている。したがって回転を停止した加湿フィルター７には、通風により短時間で乾燥されて水分の付着しない大きな乾燥領域が形成され、この乾燥領域は通気抵抗が少なくなるので、送風量を増大した空気清浄運転を行うことができることとなる。
【００６８】
（実施の形態２）
図４〜図７に示すように、水槽部９Ａに一定水位で給水する給水タンク１０Ａを設け、給水タンク１０Ａの給水弁２３を開閉する電磁ソレノイドよりなる開閉手段２４を給水部２５に設け、切換スイッチ２２Ａで空気清浄運転を選択した場合には、開閉手段２４は給水弁２３を閉鎖する構成とする。
【００６９】
上記構成において、空気清浄運転時には、開閉手段２４が給水弁２３を閉じて給水タンク１０Ａ内の水が水槽部９Ａには供給されなくなり、回転が停止した状態の加湿フィルター７Ａの通風乾燥に加えて、給水タンク１０Ａからの給水停止により加湿機能を発揮しない状態にして、空気清浄運転に特化した運転とすることができる。
【００７０】
（実施の形態３）
図８に示すように、水槽部９Ｂおよび給水部２５Ａの底部に連通して設けた給水溝２６を設け、水槽部９Ｂおよび給水部２５Ａの貯水を排出した状態で、空気清浄運転を行うことにより、給水溝２６に通風２７をして水槽部９Ｂおよび給水部２５Ａを乾燥可能とした構成とする。
【００７１】
上記構成において、加湿機能を使わない湿度の高くなるシーズンにおいては、給水タンク１０Ａとトレイ８Ａの水をすべて抜き、空気清浄運転させることで、給水溝２６を介して底面全体に風が通るため、水槽部９Ｂおよび給水弁２３を乾燥させ、ぬめりや異臭の発生を防止できることとなる。
【産業上の利用可能性】
【００７２】
本発明にかかる加湿機能付空気清浄機は、空気清浄機能をオールシーズン利用できるとともに、冬季の乾燥シーズンにおいては大容量の加湿機能を有効に使用することができるという効果を奏し、加湿機能付空気清浄機等として有用である。
【図面の簡単な説明】
【００７３】
【図１】本発明の実施の形態１の加湿機能付空気清浄機の概略縦断面図
【図２】同加湿機能付空気清浄機の加湿ユニット部分の拡大断面図
【図３】同加湿機能付空気清浄機の操作部分の正面図
【図４】本発明の実施の形態２の加湿機能付空気清浄機の概略縦断面図
【図５】同加湿機能付空気清浄機の給水部を示す断面図
【図６】（イ）同加湿機能付空気清浄機の給水弁開放時の拡大断面図、（ロ）同給水弁閉鎖時の拡大断面図
【図７】同加湿機能付空気清浄機の操作部分の正面図
【図８】本発明の実施の形態３の加湿機能付空気清浄機の給水溝を示す断面図
【図９】従来の加湿機能付空気清浄機の側断面図
【図１０】同加湿機能付空気清浄機の案内板の閉鎖した状態の縦断面図
【図１１】同加湿機能付空気清浄機の案内版を開放した状態の縦断面図
【符号の説明】
【００７４】
１      本体
２      吸気口
３      空気清浄部
４      送風装置
５      吐出口
６      加湿ユニット
７      加湿フィルター
８      トレイ
９      水槽部
９Ａ    水槽部
９Ｂ    水槽部
１０    給水タンク
１０Ａ  給水タンク
１１    一方の外表面
１２    他方の外表面
１３    加湿フィルターの回転方向
１４    吐出部
１５    空間部
１６    通風の入口側
１７    通風の出口側
１８    案内リブ
１９    回転中心
２０    加熱手段
２１    熱反射手段
２２    切換スイッチ
２２Ａ  切換スイッチ
２３    給水弁
２４    開閉手段
２５    給水部
２５Ａ  給水部
２６    給水溝
２７    通風
【図１】
2008025898.tif 000003
【図２】
2008025898.tif 000004
【図３】
2008025898.tif 000005
【図４】
2008025898.tif 000006
【図５】
2008025898.tif 000007
【図６】
2008025898.tif 000008
【図７】
2008025898.tif 000009
【図８】
2008025898.tif 000010
【図９】
2008025898.tif 000011
【図１０】
2008025898.tif 000012
【図１１】
2008025898.tif 000013